(57)【特許請求の範囲】
【請求項１】
記録媒体を再生して読み出されたディジタル音声信号を信号処理するディジタル回路部と、このディジタル回路部から入力するディジタル音声信号をアナログ音声信号に変換するＤ／Ａ変換器と、このＤ／Ａ変換器からのアナログ音声信号を増幅するアンプ及びこのアンプからのアナログ音声信号を濾波して音声信号出力端子に送出するフィルタとを少なくとも備えたアナログ回路部とからなるオーディオＤＡＣ回路と、
前記音声信号出力端子に接続されたアンプを含む外付け回路と、
前記外付け回路の出力側に設けられて、アナログ音声信号のサイン波の電圧レベルを表示する電圧レベル表示装置が調整時に着脱自在に接続され、調整終了後に前記電圧レベル表示装置に代えてスピーカが固定的に接続されるジャックと、
前記ディジタル回路部および前記アナログ回路部にそれぞれ所定値の電源電圧を供給する電源回路と、
前記電源回路の電源電圧出力端子と前記アナログ回路の電源電圧入力端子との間に介挿接続されて、調整時にのみ接続される前記電圧レベル表示装置に表示中の電圧レベルを所定値に調整するための手動操作が行われることにより、前記電源出力端子から出力される電源電圧を可変して前記電源電圧入力端子に供給する電圧調整手段とを備えていることを特徴とするオーディオ装置。
【請求項２】
ディジタル回路部とアナログ回路部との間にＤ／Ａ変換器が設けられたオーディオＤＡＣ回路における前記アナログ回路部に外付け回路を介して設けられたジャックに、スピーカを固定的に接続するのに先立って、電圧レベル表示装置を着脱自在に接続し、
記録媒体を再生して、その記録媒体から読み出されたのちオーディオＤＡＣ回路および前記外付け回路を介して前記ジャックから出力されるアナログ音声信号のサイン波の電圧レベルを前記電圧レベル表示装置に表示させ、
前記アナログ回路部に所定値の電源電圧を供給する電源回路の電源出力端子と前記アナログ回路部の電源入力端子との間に介挿接続された電圧調整手段を、前記電圧レベル表示装置に表示中の電圧レベルに基づき手動操作しながら、前記電圧レベル表示装置に表示される電圧レベルを所定値に調整することを特徴とするオーディオ装置における音声信号の出力レベル調整方法。
【発明の詳細な説明】
【０００１】
【発明の属する技術分野】
本発明は、ＣＤやＤＶＤ等の光ディスクを再生するオーディオ装置に係り、特に、製作時にアナログの音声出力信号を基準レベルに調整して出荷し得るオーディオ装置及びその電圧調整方法に関する。
【０００２】
【従来の技術】
ＣＤプレイヤーやＤＶＤプレイヤー等のＡＶ装置は、ディジタルの音声信号をアナログ信号に変換するＤ／Ａコンバータを備えている。
このようなオーディオ装置の一例として、多チャンネルの出力振幅を調整する系統数を任意に選定可能な多チャンネルＤ／ＡコンバータＩＣが知られている（特開平５−１９１２８７号公報参照）。
このものは、前記Ｄ／ＡコンバータＩＣをＤ／Ａ変換部と振幅制御部とに分離している。そして、Ｄ／Ａ変換部は、可変抵抗器およびバイアス用抵抗器を外付けとし、基準電圧用入力端子、バイアス抵抗用接続端子および振幅調整用出力端子を設けている。
【０００３】
一方、振幅制御部には、調整用入力端子および信号出力端子を設けている。これにより、複数個の振幅調整用入力端子と複数個の振幅調整用出力端子との接続の組み合わせを自由に設定できるので、多チャンネルの出力振幅を調整する系統数を任意に設定できるというものである。
また、この他に出力端子からの出力の振幅を制御するＤ／Ａ変換装置が提案されている（特開平５−１２９９５８号公報参照）。
このＤ／Ａ変換装置は、Ｄ／Ａ変換部が第１の基準電圧入力端子と第２の基準電圧入力端子との両端に入力された電圧に比例して出力振幅を変化させるようになっている。
【０００４】
さらに、Ｄ／Ａ変換器の最小値参照電圧の入力端子がグランドに接続され、最大値参照電圧の入力端子が出力比例値アナログ入力端子として機能するよう構成されたＤ／Ａ変換装置も知られている（特開平６−１３２８２８号公報参照）。
このＤ／Ａ変換装置によれば、定電圧電源の出力電圧を調整することによって、入力データに対する出力電圧の傾きを決定することができる。
【０００５】
【発明が解決しようとする課題】
ところで、上記従来のオーディオ装置等は、製作時に実装される回路素子の特性の違いや製作工程等に起因して仕上がり製品の出力性能にばらつきが生じるのが一般である。
すなわち、Ｄ／ＡコンバータＩＣ（特開平５−１９１２８７号公報）やＤ／Ａ変換装置（特開平５−１２９９５８号公報）は、可変抵抗器により出力振幅を調整し、後者のＤ／Ａ変換装置（特開平６−１３２８２８号公報）は、定電圧電源の出力電圧を調整するようになっている。
しかし、何れも最終段階の出力レベルを検出しながら調整・制御するものではないため、前述のように出力性能にばらつきがあるまま出荷され、実際にディスクの記録情報を再生してスピーカから放音させたとき、音声に歪みや劣化が生じる不具合があった。
【０００６】
本発明は、上記課題に鑑みて創案されたもので、スピーカが接続される最終段階のアナログ音声信号の出力レベルを調整工程時に所定値に調整して、スピーカから放音される音声に歪みや劣化が生じる問題を解消することのできるオーディオ装置及びその音声信号の出力レベル調整方法を提供することを目的としている。
【０００７】
【課題を解決するための手段】
上記目的を達成するため、本発明のうち請求項１に記載の発明に係るオーディオ装置は、記録媒体を再生して読み出されたディジタル音声信号を信号処理するディジタル回路部と、このディジタル回路部から入力するディジタル音声信号をアナログ音声信号に変換するＤ／Ａ変換器と、このＤ／Ａ変換器からのアナログ音声信号を増幅するアンプ及びこのアンプからのアナログ音声信号を濾波して音声信号出力端子に送出するフィルタとを少なくとも備えたアナログ回路部とからなるオーディオＤＡＣ回路と、前記音声信号出力端子に接続されたアンプを含む外付け回路と、前記外付け回路の出力側に設けられて、アナログ音声信号のサイン波の電圧レベルを表示する電圧レベル表示装置が調整時に着脱自在に接続され、調整終了後に前記電圧レベル表示装置に代えてスピーカが固定的に接続されるジャックと、前記ディジタル回路部および前記アナログ回路部にそれぞれ所定値の電源電圧を供給する電源回路と、前記電源回路の電源電圧出力端子と前記アナログ回路の電源電圧入力端子との間に介挿接続されて、調整時にのみ接続される前記電圧レベル表示装置に表示中の電圧レベルを所定値に調整するための手動操作が行われることにより、前記電源出力端子から出力される電源電圧を可変して前記電源電圧入力端子に供給する電圧調整手段とを備えていることを特徴としている。
【０００８】
また、請求項２に記載の発明に係るオーディオ装置の音声信号の出力レベル調整方法では、ディジタル回路部とアナログ回路部との間にＤ／Ａ変換器が設けられたオーディオＤＡＣ回路における前記アナログ回路部に外付け回路を介して設けられたジャックに、スピーカを固定的に接続するのに先立って、電圧レベル表示装置を着脱自在に接続し、記録媒体を再生して、その記録媒体から読み出されたのちオーディオＤＡＣ回路および前記外付け回路を介して前記ジャックから出力されるアナログ音声信号のサイン波の電圧レベルを前記電圧レベル表示装置に表示させ、前記アナログ回路部に所定値の電源電圧を供給する電源回路の電源出力端子と前記アナログ回路部の電源入力端子との間に介挿接続された電圧調整手段を、前記電圧レベル表示装置に表示中の電圧レベルに基づき手動操作しながら、前記電圧レベル表示装置に表示される電圧レベルを所定値に調整することを特徴としている。
【０００９】
【発明の実施の形態】
以下、本発明の実施の形態について、図示例を参照しながら説明する。
図１は、本発明に係るオーディオＤＡＣ回路の電気的構成を示すブロック線図、図２は、同オーディオＤＡＣ回路を示す電気回路図である。
このオーディオＤＡＣ回路は、ＣＤプレイヤーに適用されたもので、ＣＤから再生したディジタル信号をアナログの音声信号に変換してスピーカ側に送出し楽曲を放音させる構成になっている。
ＣＤプレイヤーは、サーボ制御部がモータおよび光ピックアップを制御してＣＤを回転駆動させ、このＣＤのトラックから光学的に読み取った記録情報を信号処理部に送出する。
そして、この信号処理部が、読取情報を信号処理し抽出したディジタル信号をオーディオＤＡＣ回路１側に送出するようになっている。
【００１０】
図１において、１はオーディオＤＡＣ回路であり、ディジタル回路部とアナログ回路部とが電源回路１５からの供給電圧を受けて動作する。
２はオーディオシリアルポート（オーディオポート）であり、入力端子に前記信号処理部の出力側が接続されていて、この信号処理部からのディジタル信号が入力する。
また、このオーディオポート２には、ビットクロック信号と、Ｌ，Ｒチャンネルの切換タイミングのクロック信号とが導かれており、これらの信号に基づいて前記ディジタル信号を処理する。
【００１１】
３はシリアルコントロールポート（シリアルポート）であり、入力端子に制御部（図示省略）の出力側が接続されている。
このシリアルポート３は、制御部からの制御信号とともに、ラッチ信号およびクロック信号を受けてオーバーサンプリング回路５の動作を制御する。
４はシステムクロックマネージャー（システムクロック）であり、発振回路からのシステムクロック信号が導かれていて、このシステムクロック信号に従いシリアルポート３とオーバーサンプリング回路５の動作時間を制御する。
５はオーバーサンプリングディジタルフィルター（オーバーサンプリング回路）であり、出力がエンハンスマルチレベル回路６に接続されている。
【００１２】
このオーバーサンプリング回路５は、オーディオポート２からのディジタルオーディオ信号をサンプリング（標本化）して、エンハンスマルチレベル回路６に出力する。
６はエンハンスマルチレベル・デルタシグマ・モデュレーション（エンハンスマルチレベル回路）であり、ＬチャンネルおよびＲチャンネルの出力側にＤ／Ａ変換器７，８がそれぞれ接続されている。
【００１３】
このエンハンスマルチレベル回路６は、ディジタルオーディオ信号をＬチャンネルとＲチャンネルとに分離して、各Ｄ／Ａ変換器７，８にそれぞれ出力する。
これらＤ／Ａ変換器７，８には、アンプ９，１０がそれぞれ接続されており、Ｄ／Ａ変換器７がＬチャンネルのディジタルオーディオ信号をアナログオーディオ信号に変換してアンプ９側に送出する。
一方、Ｄ／Ａ変換器８がＬチャンネルのディジタルオーディオ信号をアナログオーディオ信号に変換してアンプ１０側に送出する。
各アンプ９，１０には、ローパスフィルタ１１，１２がそれぞれ接続されており、アナログオーディオ信号を増幅して各ローパスフィルタ１１，１２に送出する。
【００１４】
これらローパスフィルタ１１，１２には、ピン端子１３，１４がそれぞれ接続されており、アナログオーディオ信号の不要な帯域をカットしてピン端子１３，１４側に送出する。
これらピン端子１３，１４は、音声信号出力端子であり、ピン端子１３側がＬチャンネルの出力用、ピン端子１４側がＲチャンネルの出力用となっている。
なお、このピン端子１３，１４には、外付けのアンプ回路１７，１８がそれぞれ接続されている。この各アンプ回路１７，１８は、ＬおよびＲチャンネルのアナログオーディオ信号を増幅するもので、各アンプ回路１７，１８の出力側にフィルタ１９，２０がそれぞれ接続されている。
各フィルタ１９，２０には、ジャック２１，２２が接続されており、増幅されたアナログオーディオ信号の不要な成分をカットしてジャック２１，２２側にそれぞれ送出する。
【００１５】
そして、これらジャック２１，２２には、図示省略しているがスピーカが接続されるようになっている。
なお、このＣＤプレイヤーの製作後、ジャック２１，２２にオーディオアナライザを接続して音声信号の出力調整を行うようにしている。
このオーディオアナライザは、音声信号のサイン波の電圧レベルを測定するもので、ジャック２１，２２に入力側を接続してオーディオアナログ信号を導入すると、表示部に現在の電圧測定値が表示される構成になっている。
【００１６】
１５は電源回路であり、入力端子に商用交流電圧が導かれ、変圧、整流、平滑後に３．３Ｖおよび５．０Ｖの各電圧値の直流電源電圧を電源電圧出力端子１５ａ，１５ｂからそれぞれ出力するようになっている。３．３Ｖの直流電源電圧を出力する電源電圧出力端子１５ａは、前記オーディオＤＡＣ回路１におけるディジタル回路部の電源電圧入力端子１ａに接続されている。これにより、ディジタル回路部におけるオーディオポート２、シリアルポート３、システムクロック４、オーバーサンプリング回路５、エンハンスマルチレベル回路６、さらに各Ｄ／Ａ変換器７，８のディジタル信号入力側にそれぞれ３．３Ｖの直流電源電圧が供給される。また、５．０Ｖの電源電圧出力端子１５ｂは、可変抵抗器１６を介して前記オーディオＤＡＣ回路１におけるアナログ回路部の電源電圧入力端子１ｂに接続されている。
【００１７】
可変抵抗器１６は、抵抗体およびこれを摺動するスライド部からなり、抵抗体の一端が電源電圧出力端子１５ｂに接続され、スライド部が電源電圧入力端子１ｂに接続されている。この可変抵抗器１６は、マイナスドライバで操作部を回転させると、スライド部が抵抗体をスライドし、電源電圧入力端子１ｂ側に供給する電源電圧を可変できるようになっている。これにより、電源回路１５の電源電圧出力端子１５ｂから出力された５．０Ｖの電源電圧は、可変抵抗器１６で調整された後、各Ｄ／Ａ変換器７，８のアナログ信号出力側、各アンプ９，１０およびローパスフィルタ１１，１２にそれぞれ供給される。
【００１８】
次に、上記ＣＤプレイヤーの出力調整方法について、図を参照しつつ説明する。まず、オーディオＤＡＣ回路１のジャック２１，２２にオーディオアナライザを接続する。
つぎに、ディスクトレーにテスト用ＣＤをセットして再生を開始させる。これに伴い、ＣＤのトラックの記録情報が読み取られ、信号処理部からのディジタル信号がオーディオＤＡＣ回路１側に送出される。
このオーディオＤＡＣ回路１では、オーディオディジタル信号がオーディオアナログ信号に変換された後、ジャック２１，２２を介してオーディオアナライザ側に送出される。
このオーディオアナライザは、音声信号のサイン波の電圧レベルを表示部に表示させる。
【００１９】
ここで、電圧レベルが所定値よりも低い場合、ドライバを操作し可変抵抗器１６のスライド部を摺動させる。
すると、電源回路１５から出力される５．０Ｖの直流電圧が可変抵抗器１６で調整された後、各Ｄ／Ａ変換器７，８、各アンプ９，１０およびローパスフィルタ１１，１２側に供給される。
このとき、オーディオアナライザの表示値を見ながら電圧を調整すれば、オーディオアナログ信号の出力レベルを所用の値にしておくことができる。
なお、この最大出力レベル（ＶＰＰ）は、電源電圧（ＶＣＣ）×０．６２に設定する仕様となっている。
【００２０】
従って、スピーカ側に出力すべきＬ，Ｒチャンネルの音声信号の出力電圧は、電源回路１５から出力される５．０Ｖの直流電圧に０．６２を乗じた値が基準となるので、オーディオアナライザの表示がこの電圧になるよう可変抵抗器１６で調整すればよい。
これにより、ＣＤプレイヤーを製作した後、各Ｄ／Ａ変換器７，８、各アンプ９，１０およびローパスフィルタ１１，１２等からなるオーディオＤＡＣ回路１のアナログ回路部で生じる誤差（通常、±５％）および外付けアンプ回路１７，１８等の誤差を吸収し、仕様通りの定電圧に調整しておくことができる。
よって、ジャック２１，２２にスピーカを接続し、実際にＣＤの記録情報を再生してスピーカから放音させたとき、音声に歪みや劣化が生じる問題がなくなる。
【００２１】
【発明の効果】
以上説明したように、本発明のうち請求項１に記載の発明に係るオーディオ装置は、電源回路からオーディオＤＡＣ回路のアナログ回路部に供給する電源電圧を手動操作により可変調整できる電圧調整手段と、スピーカの接続に先立って調整工程時に電圧レベル表示装置を着脱自在に接続可能なジャックとを備えているので、製作後の調整工程において、ジャックに電圧レベル表示装置、例えばオーディオアナライザを接続した状態で、テスト用の記録媒体をセットして再生を行うと、記録媒体から読み出されてオーディオＤＡＣ回路のディジタル回路部に入力したディジタル音声信号がＤ／Ａ変換器でアナログ音声信号に変換されたのちにアナログ回路部を介してジャックから出力され、このジャックに接続されているオーディオアナライザにアナログ音声信号のサイン波の電圧レベルが表示されるので、オーディオアナライザに表示中の電圧レベルを見ながら電圧調整手段、例えば可変抵抗器を手動操作すれば、アナログ音声信号の出力電圧レベルを所定値に可変調整することができる。この調整するアナログ音声信号は、スピーカに接続されるジャックから出力されたものであるから、オーディオＤＡＣ回路のアナログ回路部の各構成要素や外付け回路の各構成要素の特性等に起因する電圧変動が生じても、スピーカに供給される最終段階のアナログ音声信号の出力電圧レベルを所定値に保つことができるので、スピーカより放音される音声の歪みや劣化を防止できる効果がある。
【００２２】
また、請求項２に記載の発明に係るオーディオ装置の音声信号の出力レベル調整方法は、製作後の調整工程において、ジャックにスピーカの接続に先立って電圧レベル表示装置、例えばオーディオアナライザを接続して、テスト用の記録媒体をセットして再生を行い、オーディオアナライザに表示されるアナログ音声信号のサイン波の電圧レベルを見ながら電圧調整手段、例えば可変抵抗器を手動操作することにより、電源回路からオーディオＤＡＣ回路のアナログ回路部に供給する電源電圧を可変調整して、アナログ音声信号の出力電圧レベルを所定値に可変調整するので、この調整するアナログ音声信号は、スピーカに接続されるジャックから出力されたものであるから、オーディオＤＡＣ回路のアナログ回路部の各構成要素や外付け回路の各構成要素の特性等に起因する電圧変動が生じても、スピーカに供給される最終段階のアナログ音声信号の出力電圧レベルを所定値に保つことができるので、スピーカより放音される音声の歪みや劣化を防止できる効果がある。
【図面の簡単な説明】
【図１】  本発明の実施の形態に係るオーディオ装置におけるオーディオＤＡＣ回路の電気的構成を示すブロック線図である。
【図２】  同上のオーディオＤＡＣ回路の一部を示す電気回路図である。
【符号の説明】
１  オーディオＤＡＣ回路
１ａ  ディジタル回路部の電源電圧入力端子
１ｂ  アナログ回路部の電源電圧入力端子
７，８  Ｄ／Ａ変換器
９，１０  アンプ
１１，１２  フィルタ
１３，１４  音声信号出力端子
１５  電源回路
１５ａ  ディジタル回路部への電源電圧出力端子
１５ｂ  アナログ回路部への電源電圧出力端子
１７，１８  アンプ
１９，２０  フィルタ
２１，２２  ジャック
【図１】
0003637963.tif 000002
【図２】
0003637963.tif 000003